(57)【特許請求の範囲】
【請求項１】
移動通信ネットワークと他のネットワークとを接続し、ネットワーク間の通信サービスを制御する通信サービス制御システムにおいて、
前記通信サービスに必要な情報として、各ユーザ毎に、当該ユーザの情報と、当該ユーザに提供可能な通信サービスの情報と、当該通信サービスを実現する付加価値の情報とを対応付けて取得する情報取得手段と、
前記通信サービスを実現する付加価値に対応する処理を行い、複数のレイヤ毎に設けられたスイッチ群からなる付加価値処理手段と、
前記付加価値処理手段の負荷を所定時間毎に測定するとともに、ユーザからのサービス要求に基づき前記情報取得手段より通信サービスの情報と当該通信サービスを実現する付加価値の情報とを取得し、要求された通信サービスを実現するスイッチ群のうち負荷に余裕のあるものを前記付加価値処理手段からレイヤ単位で選択して処理を行わせるサービス分析制御手段とを備え、
前記付加価値処理手段のスイッチ群を組み合わせて、前記情報取得手段により取得される情報に基づいた通信サービスを提供することを特徴とする通信サービス制御システム。
【請求項２】
請求項１に記載の通信サービス制御システムにおいて、
前記付加価値処理手段のスイッチ群は、１の付加価値に対して複数備えられることを特徴とする通信サービス制御システム。
【請求項３】
移動通信ネットワークと他のネットワークとを接続し、ネットワーク間の通信サービスを制御する通信サービス制御方法において、
前記通信サービスに必要な情報として、各ユーザ毎に、当該ユーザの情報と、当該ユーザに提供可能な通信サービスの情報と、当該通信サービスを実現する付加価値の情報とを対応付けて取得し、
前記通信サービスを実現する付加価値に対応する処理を行う付加価値処理手段の負荷を所定時間毎に測定するとともに、ユーザからのサービス要求に基づき前記の取得した情報から通信サービスの情報と当該通信サービスを実現する付加価値の情報とを取得し、要求された通信サービスを実現する前記付加価値処理手段のレイヤ毎に設けられたスイッチ群のうち負荷に余裕のあるものをレイヤ単位で選択して処理を行わせ、
前記付加価値処理手段のスイッチ群を組み合わせて、前記情報取得手段により取得される情報に基づいた通信サービスを提供することを特徴とする通信サービス制御方法。
【発明の詳細な説明】
【０００１】
【発明の属する技術分野】
本発明は、移動通信ネットワークと他のネットワークとを接続し、ネットワーク間の通信サービスを制御する通信サービス制御システム及び通信サービス制御方法に関する。
【０００２】
【従来の技術】
近年、各種のネットワークが相互に接続され、ネットワーク間通信が行われるようになっている。移動通信ネットワークも例外ではなく、移動通信ネットワークと企業ネットワークやインターネット等とが相互に接続され、ネットワーク間通信が行われる。
【０００３】
また、このようなネットワーク間の相互接続の普及に伴い、ネットワーク上で様々なサービスを提供する事業者（サービスプロバイダ）が増加している。
【０００４】
【発明が解決しようとする課題】
しかしながら、上述したネットワーク間通信は、各種のネットワーク毎に通信環境が異なっているため、安全性や品質が脆弱であった。特にインターネットを介した通信では、安全性や品質の脆弱性が高い。安全性が損なわれる例としては、悪意ある者が、他人になりすましてインターネットショッピングを行ったり、他人の著作物をネットワーク上に無断で公開するといったことがある。また、品質が損なわれる例としては、ネットワークの混雑によって電子メールが遅延したり、不特定多数の者に不必要な電子メール（迷惑メール）が送られるといったことがある。
【０００５】
また、サービスプロバイダによる事業においては、利用者に提供するアプリケーションやコンテンツ等が提供事業者毎や企業毎等に構築された各ネットワーク上に散在している。更には、サービス提供のための環境（ネットワークインフラやアプリケーション等）がネットワーク毎に独自に構築されている。このため、サービスの拡張性や柔軟性が低く、認証、課金、アプリケーション管理等の各サービスに共通な要素が分散することより、コストが増大している。
【０００６】
このため、通信サービスの提供に際して、ユーザは、安全性、品質、コストの低減等の付加価値を要求することが多い。しかしながら、通信サービスに付加価値を盛り込むことは、時間的、コスト的な制約のために困難なことが多い。
【０００７】
本発明は、上記問題点を解決するものであり、その目的は、ネットワーク間通信に対して、容易に付加価値を盛り込むことが可能な通信サービス制御システム及び通信サービス制御方法を提供することにある。
【０００８】
【課題を解決するための手段】
上記の目的を達成するため、本発明は請求項１に記載されるように、移動通信ネットワークと他のネットワークとを接続し、ネットワーク間の通信サービスを制御する通信サービス制御システムにおいて、前記通信サービスに必要な情報として、各ユーザ毎に、当該ユーザの情報と、当該ユーザに提供可能な通信サービスの情報と、当該通信サービスを実現する付加価値の情報とを対応付けて取得する情報取得手段と、前記通信サービスを実現する付加価値に対応する処理を行い、複数のレイヤ毎に設けられたスイッチ群からなる付加価値処理手段と、前記付加価値処理手段の負荷を所定時間毎に測定するとともに、ユーザからのサービス要求に基づき前記情報取得手段より通信サービスの情報と当該通信サービスを実現する付加価値の情報とを取得し、要求された通信サービスを実現するスイッチ群のうち負荷に余裕のあるものを前記付加価値処理手段からレイヤ単位で選択して処理を行わせるサービス分析制御手段とを備え、前記付加価値処理手段のスイッチ群を組み合わせて、前記情報取得手段により取得される情報に基づいた通信サービスを提供する通信サービス提供手段とを備えることを特徴とする。
【００１０】
また、本発明は請求項２に記載されるように、前記通信サービス制御システムにおいて、前記付加価値処理手段のスイッチ群は、１の付加価値に対して複数備えられることを特徴とする。
【００１１】
また、本発明は請求項３に記載されるように、移動通信ネットワークと他のネットワークとを接続し、ネットワーク間の通信サービスを制御する通信サービス制御方法において、前記通信サービスに必要な情報として、各ユーザ毎に、当該ユーザの情報と、当該ユーザに提供可能な通信サービスの情報と、当該通信サービスを実現する付加価値の情報とを対応付けて取得し、前記通信サービスを実現する付加価値に対応する処理を行う付加価値処理手段の負荷を所定時間毎に測定するとともに、ユーザからのサービス要求に基づき前記の取得した情報から通信サービスの情報と当該通信サービスを実現する付加価値の情報とを取得し、要求された通信サービスを実現する前記付加価値処理手段のレイヤ毎に設けられたスイッチ群のうち負荷に余裕のあるものをレイヤ単位で選択して処理を行わせ、前記付加価値処理手段のスイッチ群を組み合わせて、前記情報取得手段により取得される情報に基づいた通信サービスを提供することを特徴とする。
【００１２】
このような通信サービス制御装置及び通信サービス制御方法においては、ネットワーク間の通信サービスを実現する付加価値を設定し、その付加価値を組み合わせて通信サービスを提供することにより、ネットワーク間通信に対して、容易に付加価値を盛り込むことが可能となる。
【００１３】
具体的には、付加価値を組み合わせて通信サービスを提供することにより、１の付加価値を複数の通信サービスの提供の際に用いることができるため、通信サービスの追加、変更が生じた場合には、その追加、変更となる通信サービスの際に用いられる付加価値の全てを新たに設定する必要がなく、通信サービスの追加、変更を迅速且つ低コストで行うことが可能になる。
【００１４】
また、付加価値処理手段が１の付加価値に対して複数備えられることにより、負荷分散を図ることが可能となる。
【００１５】
【発明の実施の形態】
以下、本発明の実施の形態を図面に基づいて説明する。
【００１６】
図１は、本発明を適用した通信システムの概念図である。同図に示す通信システムは、ｘＳＰサービスを提供するための共通基盤を構成するシステムである。この通信システムは、ｘＳＰサービス共通基盤１０と、当該ｘＳＰサービス共通基盤１０上のサービス分析制御システム２０及びデータサーバシステム３０と、ｘＳＰサービス共通基盤１０に接続される各ネットワークである、ｘＳＰネットワーク２０１、企業ＬＡＮ２０２、第３世代移動通信ネットワーク（３Ｇネットワーク）２０３、無線ＬＡＮ（Ｗ−ＬＡＮ）２０４、第４世代移動通信ネットワーク（４Ｇネットワーク）２０５及びインターネット２０６とにより構成される。
【００１７】
ｘＳＰサービス共通基盤１０は、情報源（例えば広告会社）や情報（コンテンツ）、物体や空間（例えば携帯端末）の有する属性を接続情報とともに管理し、個々のサービス目的に必要な付加価値（認証、課金、セキュリティ等）を組み合わせて、サービスを実現するものである。
【００１８】
サービス分析制御システム２０は、分析制御を実施する分析制御装置、処理上の待ち受け等のためのデータ退避用メモリ、後述するサービススイッチの付加制御を実施するサービススイッチ付加制御装置（何れも図示せず）により構成される。分析制御装置は予備を有するｎ＋１配備である。また、データ退避用メモリ及びサービススイッチ付加制御装置は二重化されている。
【００１９】
このサービス分析制御システム２０は、データサーバシステム３０上のユーザデータと、サービス構成データとに基づいて、呼情報を分析し、各ネットワーク間のサービスを制御する。また、サービス分析制御システム２０は、サービス毎のトラヒックを監視し、分析制御を行う分析制御装置（図示せず）を通して、ｘＳＰサービス共通基盤１０によるサービストラヒック制御を実施する。また、各分析制御装置は、処理状況をログ情報として、データサービスシステム３０へ転送する。
【００２０】
データサービスシステム３０は、ログ情報を蓄積するログデータシステム、蓄積されたログ情報を分析するデータ分析システム、ユーザ別のデータを蓄積するユーザデータシステム、サービスの構成情報を蓄積するサービス構成データシステム（何れも図示せず）により構成される。
【００２１】
図２は、属性と付加価値との対応関係を示す図である。ｘＳＰサービス共通基盤５０は、安全性や品質の保証されたモバイルＩＰネットワーク８４を介して物体空間８６に対してサービスを提供する際に付加価値を実現する。ここで、付加価値とは、例えばユーザの認証に関する付加価値、転送データの暗号化に関する付加価値、アクセス制御に関する付加価値、課金制御に関する付加価値、通信サービスの品質に関する付加価値、通信経路に関する付加価値、通信サービスに関連する時間に関する付加価値、通信サービスに関連する情報の蓄積に関する付加価値、通信サービスの提供に必要な資源の貸与に関する付加価値、通信サービスに関連する統計分析に関する付加価値等が挙げられる。
【００２２】
大規模データ管理サーバ等の情報流通基盤６０は、ｘＳＰ８０における情報源や情報（コンテンツ）の有する属性や、物体空間８６の有する属性、ユーザ端末８２によって登録された属性を管理するとともに、ｘＳＰやユーザ端末８２からの情報（コンテンツ）を管理する。
【００２３】
また、情報流通基盤６０は、ユーザ端末８２に対して、属性や情報を参照させる。
【００２４】
高付加価値制御サーバ等の高付加価値基盤７０は、情報流通基盤６０によって管理されている属性を参照するとともに、サービス提供の際に、付加価値を組み合わせた制御や、属性に対応した制御を行う。
【００２５】
図３は、本発明を適用した通信システムの構成例を示す図である。同図に示す通信システム１は、通信サービス制御システムとしてのインテリジェントネットワークサービスプロバイダ装置（Ｉ−ＮＳＰ）１００と、当該Ｉ−ＮＳＰ１００に接続されるネットワークである、ｘＳＰネットワーク２０１、企業ＬＡＮ２０２、３Ｇネットワーク２０３、Ｗ−ＬＡＮ２０４、４Ｇネットワーク２０５及びインターネット２０６により構成される。
【００２６】
この通信システム１では、Ｉ−ＮＳＰ１００がネットワーク間の通信サービスに必要な様々な情報を取得するとともに、ネットワーク間の通信サービスを実現する付加価値を設定し、前記取得した情報に基づいて、前記設定した付加価値に応じたネットワーク間の通信サービスを各ネットワークに接続された通信装置（図示せず）に提供する。
【００２７】
Ｉ−ＮＳＰ１００は、サービス分析制御システム１１０、サービススイッチシステム１２０、データサーバシステム１３０、ネットワークアダプタ１５０を備える。
【００２８】
ネットワークアダプタ１５０は、ｘＳＰアダプタ１５１、企業ＬＡＮアダプタ１５２、第３世代移動通信ネットワークアダプタ（３Ｇアダプタ）１５３、無線ＬＡＮアダプタ（Ｗ−ＬＡＮアダプタ）１５４、第４世代移動通信ネットワークアダプタ（４Ｇアダプタ）１５５及びインターネットアダプタ１５６により構成される。
【００２９】
このネットワークアダプタ１５０は、サービス分析制御システム１１０の指示に応じて、各ネットワークにおけるレイヤ２以下での通信プロトコルに関わる制御を実施するとともに、各ネットワークに独自に存在する通信プロトコルに関わる制御を実施する。なお、この制御には、各ネットワークに特有のセキュリティ措置も含まれる。
【００３０】
ｘＳＰアダプタ１５１、企業ＬＡＮアダプタ１５２、３Ｇアダプタ１５３、Ｗ−ＬＡＮアダプタ１５４、４Ｇアダプタ１５５及びインターネットアダプタ１５６は、それぞれ対向するネットワークに対して、二重化された構成を有する。但し、各アダプタは、ネットワーク側が当該アダプタの二重化構成を意識する必要がないように構成される。これら各アダプタは、処理状況をログ情報として、データサーバシステム１３０へ転送する。
【００３１】
サービススイッチシステム１２０は、複数のサービススイッチを備えるレイヤ３スイッチ群１２１−１、レイヤ４スイッチ群１２１−２、レイヤ５スイッチ群１２１−３、レイヤ６スイッチ群１２１−４及びレイヤ７スイッチ群１２１−５（以下、これらをまとめて、適宜「スイッチ群１２１」と称する）により構成される。このうち、レイヤ３スイッチ群１２１−１及びレイヤ４スイッチ群１２１−２により低レベルサービススイッチ１２２が構成され、レイヤ５スイッチ群１２１−３、レイヤ６スイッチ群１２１−４及びレイヤ７スイッチ群１２１−５により高レベルサービススイッチ１２３が構成される。
【００３２】
このサービススイッチシステム１２０は、サービス分析制御システム１１０の指示に応じて、各ネットワークにおけるレイヤ３乃至レイヤ７での通信プロトコルに関わる制御を実施する。この制御には、各レイヤでのプロトコル変換等の制御が含まれる。また、各スイッチ群１２１を構成するサービススイッチは、処理状況を、ログ情報としてデータサーバシステム１３０へ転送する。
【００３３】
各レイヤにおけるスイッチ群１２１内のサービススイッチは、同一の機能を有し、ｎ＋１予備の冗長構成となっている。なお、スイッチ群１２１は、必ずしも、通信レイヤと同一の構成とする必要はない。例えば、ＴＣＰ／ＩＰ以上のアプリケーションが構築される場合、レイヤ３、４の２段構成、レイヤ５乃至７の３段構成とすることもできる。
【００３４】
データサーバシステム１３０は、サービス構成データシステム１３１、ユーザデータシステム１３３、ログデータシステム１３５及びデータ分析システム１３７により構成される。
【００３５】
サービス構成データシステム１３１は、サービスの構成情報（サービス構成データ）をサービス構成データＤＢ１３２に蓄積する。ユーザデータシステム１３３は、ユーザ別のデータ（ユーザデータ）をユーザデータＤＢ１３４に蓄積する。ログデータシステム１３５は、ログＤＢ１３６にログ情報を蓄積する。データ分析システム１３７は、蓄積されたログ情報に基づいて生成した多次元データを多次元データＤＢ１３８に蓄積し、分析を行う。
【００３６】
データサーバシステム１３０内の各データベースの内、サービス構成データＤＢ１３２、ユーザデータＤＢ１３４及びログＤＢ１３６は、二重化されている。
【００３７】
サービス分析制御システム１１０は、データサーバシステム１３０内に蓄積されているサービス構成データ及びユーザデータに基づいて、ネットワークアダプタ１５０及びサービススイッチシステム１２０からの呼情報を分析する。そして、サービス分析制御システム１１０は、その分析の結果に基づいて、ネットワークアダプタ１５０及びサービススイッチシステム１２０を制御することにより、サービスを提供する。
【００３８】
このサービス分析制御システム１１０は、サービススイッチ付加制御装置１１２、分析制御装置１１４及び退避用メモリ１１６により構成され、料金システムと接続されている。サービススイッチ付加制御装置１１２は、サービス毎のトラヒックを監視し、分析制御装置１１４を通して、Ｉ−ＮＳＰ１００によるサービストラヒック制御を実施する。分析制御装置１１４は、処理状況をログ情報としてデータサーバシステム１３０へ転送する。
【００３９】
サービススイッチ付加制御装置１１２及び退避用メモリ１１６は、二重化されている。また、分析制御装置１１４は複数備えられ、ｎ＋１配備の構成となっている。
【００４０】
次に、Ｉ−ＮＳＰ１００の処理の詳細を説明する。図４は、Ｉ−ＮＳＰ１００の処理を示す概念図である。同図は、３Ｇネットワーク２０３に接続された端末３０１がｘＳＰネットワーク２０１に接続されたサービスプロバイダ装置（ｘＳＰ）３０２と通信を行う場合の例である。
【００４１】
データサーバシステム１３０は、サービス構成データ１７１とユーザデータ１７２とを蓄積する。これらサービス構成データ１７１とユーザデータ１７２は、端末３０１毎に設定されるデータである。
【００４２】
サービス構成データ１７１は、端末ＩＤ等のユーザの識別情報、ユーザに提供可能なサービスの識別情報、各サービスを実現するための付加価値の識別情報により構成される。ここでは、サービス構成データ１７１は、端末３０１の端末ＩＤ、サービスα、βの識別情報、サービスαを実現するための付加価値Ａ、Ｂ及びＣの識別情報と、サービスβを実現するための付加価値Ａ、Ｂ及びＤの識別情報とにより構成される。
【００４３】
ユーザデータ１７２は、ユーザに提供可能なサービスの識別情報、各サービスを実現するための付加価値の識別情報、各付加価値に対応する処理を行う際に必要なユーザの情報により構成される。ここでは、ユーザデータ１７２は、サービスα及びβの識別情報、サービスαに対応する付加価値Ａ、Ｂ及びＣの識別情報、サービスβに対応する付加価値Ａ、Ｂ及びＤの識別情報、付加価値Ａに対応するユーザ情報ａ１、ａ２及びａ３、付加価値Ｂに対応するユーザ情報ｂ１及びｂ２、付加価値Ｃに対応するユーザ情報ｃ１及びｃ２、付加価値Ｄに対応するユーザ情報ｄ１、ｄ２及びｂ３により構成される。このユーザデータ１７２は、サービス構成データ１７１に対応付けられている。
【００４４】
サービススイッチシステム１２０は、各付加価値に対応する処理を行う付加価値処理部を備えている。ここでは、サービススイッチシステム１２０は、付加価値Ａに対応する処理を行うＡ処理部１６０−１及び１６０−２、付加価値Ｂに対応する処理を行うＢ処理部１６０−３、１６０−４及び１６０−５、付加価値Ｃに対応する処理を行うＣ処理部１６０−６、付加価値Ｄに対応する処理を行うＤ処理部１６０−７、付加価値Ｅに対応する処理を行うＥ処理部１６０−８が備えられている。以下、これら各処理部をまとめて、適宜「付加価値処理部１６０」と称する。具体的には、これらの付加価値処理部１６０は、サービススイッチシステム１２０の各スイッチ１２１内に構成される。
【００４５】
なお、複数のＡ処理部１６０−１及び１６０−２が備えられることにより、付加価値Ａに対応する処理の負荷分散が図られ、Ｂ処理部１６０−３、１６０−４及び１６０−５が備えられることにより、付加価値Ｂに対応する処理の負荷分散が図られている。
【００４６】
サービス分析制御システム１１０は、これら各付加価値処理部１６０の負荷を、所定時間毎に測定している。
【００４７】
このように、サービス分析制御システム１１０内にサービス構成データ１７１とユーザデータ１７２とが蓄積され、サービススイッチシステム１２０内に付加価値処理部１６０が備えられることにより、Ｉ−ＮＳＰ１００は、端末３０１に対して通信サービスを提供することが可能になる。
【００４８】
３Ｇネットワーク２０３に接続された端末３０１は、ｘＳＰネットワーク２０１に接続されたｘＳＰ３０２と通信を行う際、Ｉ−ＮＳＰ１００に対してサービス要求１７３を送信する。このサービス要求１７３は、ユーザ識別情報と、要求する通信サービスのサービス識別情報とが含まれる。ここでは、サービス要求１７３は、端末３０１の端末ＩＤと、ｘＳＰ３０２が提供するサービスであるサービスαの識別情報が含まれている。
【００４９】
Ｉ−ＮＳＰ１００内の３Ｇアダプタ１５３は、このサービス要求１７３を受信し、サービス分析制御システム１１０へ送信する。
【００５０】
サービス分析制御システム１１０は、サービス要求１７３を受信すると、当該サービス要求に含まれるユーザ識別情報及びサービス識別情報を含んだサービス構成データ１７４をデータサーバシステム１３０から取得する。また、サービス分析制御システム１１０は、取得したサービス構成データ１７４に対応付けられているユーザデータ１７５をデータサーバシステム１３０から取得する。
【００５１】
ここでは、サービス要求１７３は、上述したように、端末３０１の端末ＩＤと、サービスαの識別情報が含まれている。このため、サービス分析制御システム１１０は、端末３０１の端末ＩＤとサービスαの識別情報をキーとして、データサーバシステム１３０内のサービス構成データＤＢ１３２を検索し、端末３０１の端末ＩＤ、サービスαの識別情報、サービスαを実現するための付加価値Ａ、Ｂ及びＣの識別情報を含んだサービス構成データ１７４をデータサーバシステム１３０から取得する。更に、サービス分析制御システム１１０は、このサービス構成データ１７４に対応付けられている、サービスαの識別情報、サービスαを実現するための付加価値Ａ、Ｂ及びＣの識別情報、付加価値Ａに対応するユーザ情報ａ１、ａ２及びａ３、付加価値Ｂに対応するユーザ情報ｂ１及びｂ２、付加価値Ｃに対応するユーザ情報ｃ１及びｃ２を含んだユーザデータ１７５をデータサーバシステム１３０内のユーザデータＤＢ１３４から取得する。取得されたユーザデータ１７５は、サービス分析制御システム１１０内に格納される。
【００５２】
次に、サービス分析制御システム１１０は、サービス構成データ１７４と、逐次測定しているサービススイッチシステム１２０内の各付加価値処理部１６０の負荷とに基づいて、処理を行う付加価値処理部１６０を選択する。更に、サービス分析制御システム１１０は、サービス構成データ１７４及びユーザデータ１７５と、付加価値処理部１６０の選択結果とに基づいて、付加価値に対応する処理を要求するための処理要求を生成し、サービススイッチシステム１２０へ送信する。
【００５３】
サービススイッチシステム１２０は、受信した処理要求に基づいて、処理を行うべき付加価値処理部１６０を選択し、選択した各付加価値処理部１６０による処理を行う。また、データサーバシステム１３０は、各付加価値処理部１６０による処理のログを取得する。
【００５４】
ここでは、サービス分析制御システム１１０は、格納しているサービス構成データ１７４に基づいて、付加価値Ａ、Ｂ、Ｃに対応する処理を行う必要があることを認識する。次に、サービス分析制御システム１１０は、逐次測定しているサービススイッチシステム１２０内の各付加価値処理部１６０の負荷に基づいて、Ａ処理部１６０−１、１６０−２のうち、負荷の小さいＡ処理部１６０−１と、Ｂ処理部１６０−３、１６０−４、１６０−５のうち、負荷の小さいＢ処理部１６０−４とを選択するとともに、Ｃ処理部１６０−６を選択する。
【００５５】
次に、サービス分析制御システム１１０は、まず、付加価値Ａに対応する処理を行わせるための処理要求１７６を生成し、サービススイッチシステム１２０へ送信する。この処理要求１７６は、端末３０１の端末ＩＤ、要求されたサービスであるサービスαの識別情報、サービスαを実現するための付加価値Ａ、Ｂ、Ｃの識別情報、選択したＡ処理部１６０−１の識別情報である「Ａ宛先」、付加価値Ａに対応するユーザ情報ａ１、ａ２及びａ３が含まれている。
【００５６】
処理要求１７６を受信したサービススイッチシステム１２０は、当該処理要求１７６に含まれるＡ、Ｂ、Ｃの識別情報に基づいて、付加価値Ａ、Ｂ、Ｃに対応する処理が必要であることを認識する。また、サービススイッチシステム１２０は、受信した処理要求１７６に含まれるＡ処理部１６０−１の識別情報に基づいて、付加価値Ａに対応する処理を行う付加価値処理部としてＡ処理部１６０−１を選択する。選択されたＡ処理部１６０−１は、処理要求１７６に含まれるユーザ情報ａ１、ａ２及びａ３を利用して、付加価値Ａに対応する処理を行う。サービススイッチシステム１２０は、Ａ処理部１６０−１による処理結果と、次の付加価値Ｂに対応する処理を行う付加価値処理部の要求（宛先要求）をサービス分析制御システム１１０へ送信する。
【００５７】
付加価値Ａに対応する処理の結果を受信したサービス分析制御システム１１０は、付加価値Ｂに対応する処理を行わせるための処理要求１７７を生成し、サービススイッチシステム１２０へ送信する。この処理要求１７７は、選択したＢ処理部１６０−４の識別情報である「Ｂ宛先」、付加価値Ｂに対応するユーザ情報ｂ１及びｂ２が含まれている。
【００５８】
処理要求１７７を受信したサービススイッチシステム１２０は、当該処理要求１７７に含まれるＢ処理部１６０−４の識別情報に基づいて、Ｂ処理部１６０−４を選択するとともに、当該Ｂ処理部１６０−４に対して、Ａ処理部１６０−１による処理の結果を通知する。選択されたＢ処理部１６０−４は、処理要求１７７に含まれるユーザ情報ｂ１及びｂ２を利用して、付加価値Ｂに対応する処理を行う。サービススイッチシステム１２０は、Ｂ処理部１６０−４による処理結果と、次の付加価値Ｃに対応する処理を行う付加価値処理部の要求（宛先要求）をサービス分析制御システム１１０へ送信する。例えば、付加価値Ｂが課金制御に関する付加価値である場合には、サービススイッチシステム１２０は、Ｂ処理部１６０−４による処理結果を課金明細システム１８１に送信する。
【００５９】
付加価値Ｂに対応する処理の結果を受信したサービス分析制御システム１１０は、付加価値Ｃに対応する処理を行わせるための処理要求１７８を生成し、サービススイッチシステム１２０へ送信する。この処理要求１７８は、選択したＣ処理部１６０−６の識別情報である「Ｃ宛先」、付加価値Ｃに対応するユーザ情報ｃ１及びｃ２が含まれている。
【００６０】
処理要求１７８を受信したサービススイッチシステム１２０は、当該処理要求１７８に含まれるＣ処理部１６０−６の識別情報に基づいて、Ｃ処理部１６０−６を選択するとともに、当該Ｃ処理部１６０−６に対して、Ｂ処理部１６０−４による処理の結果を通知する。選択されたＣ処理部１６０−６は、処理要求１７８に含まれるユーザ情報ｃ１及びｃ２を利用して、付加価値Ｃに対応する処理を行う。サービススイッチシステム１２０は、Ｃ処理部１６０−６による処理結果と、処理結果の送信先の要求（接続先要求）をサービス分析制御システム１１０へ送信する。
【００６１】
また、データサーバシステム１３０は、Ａ処理部１６０−１、Ｂ処理部１６０−４及びＣ処理部１６０−６による処理のログを取得する。
【００６２】
接続先要求を受信したサービス分析制御システム１１０は、サービス要求１７３に含まれるサービス識別情報に基づいて、処理結果の送信先であるアダプタを認識し、当該アダプタの識別情報（例えばＩＰアドレス等）を含んだ接続先通知をサービススイッチシステム１２０へ送信する。サービススイッチシステム１２０は、この接続先通知に含まれるアダプタの識別情報により特定されるアダプタに対して、処理結果を送信する。
【００６３】
ここでは、サービス要求１７３には、ｘＳＰ３０２が提供するサービスであるサービスαの識別情報が含まれている。このため、サービス分析制御システム１１０は、ｘＳＰアダプタ１５１の識別情報を含んだ接続先通知をサービススイッチシステム１２０へ送信する。サービススイッチシステム１２０は、ｘＳＰアダプタ１５１に対して、Ａ処理部１６０−１、Ｂ処理部１６０−４及びＣ処理部１６０−６による処理結果を送信する。
【００６４】
ｘＳＰアダプタ１５１は、ｘＳＰネットワーク２０１を介してｘＳＰ３０２に対して、処理結果を送信する。ｘＳＰ３０２は、この処理結果を利用して、端末３０１との通信を行う。
【００６５】
図５は、Ｉ−ＮＳＰ１００の処理を示すシーケンス図である。３Ｇネットワーク２０３に接続された端末３０１は、ｘＳＰネットワーク２０１に接続されたｘＳＰ３０２と通信を行う際、Ｉ−ＮＳＰ１００に対して、自端末の端末ＩＤと要求するサービスαの識別情報とを含んだサービス要求を送信する（ステップ１０１）。Ｉ−ＮＳＰ１００内の３Ｇアダプタ１５３は、このサービス要求を受信し、サービス分析制御システムへ送信する（ステップ１０２）。
【００６６】
サービス分析制御システム１１０は、サービス要求に含まれるユーザ識別情報及びサービス識別情報をキーとしてデータサーバシステム１３０内のサービス構成データＤＢ１３２を検索し（ステップ１０３）、サービス構成データを取得するとともに、ユーザデータＤＢ１３４を検索して、当該サービス構成データに対応付けられているユーザデータを取得する（ステップ１０４）。サービス構成データには、端末３０１の端末ＩＤ、サービスαの識別情報、サービスαを実現するための付加価値Ａ、Ｂ及びＣの識別情報が含まれており、ユーザデータには、サービスαの識別情報、サービスαを実現するための付加価値Ａ、Ｂ及びＣの識別情報、付加価値Ａに対応するユーザ情報ａ１、ａ２及びａ３、付加価値Ｂに対応するユーザ情報ｂ１及びｂ２、付加価値Ｃに対応するユーザ情報ｃ１及びｃ２が含まれている。
【００６７】
次に、サービス分析制御システム１１０は、取得したサービス構成データと、逐次測定しているサービススイッチシステム１２０内の各付加価値処理部１６０の負荷とに基づいて、処理を行う付加価値処理部１６０であるＡ処理部１６０−１、Ｂ処理部１６０−４、Ｃ処理部１６０−６を選択する。更に、サービス分析制御システム１１０は、サービス構成データ及びユーザデータと、付加価値処理部１６０の選択結果とに基づいて、付加価値Ａに対応する処理を行わせるための処理要求（Ａ処理要求）を生成し、サービススイッチシステム１２０へ送信する（ステップ１０５）。このＡ処理要求は、端末３０１の端末ＩＤ、要求されたサービスであるサービスαの識別情報、サービスαを実現するための付加価値Ａ、Ｂ、Ｃの識別情報、Ａ処理部１６０−１の識別情報である「Ａ宛先」、付加価値Ａに対応するユーザ情報ａ１、ａ２及びａ３が含まれている。
【００６８】
Ａ処理要求を受信したサービススイッチシステム１２０は、当該Ａ処理要求に含まれるＡ処理部１６０−１の識別情報に基づいて、付加価値Ａに対応する処理を行う付加価値処理部としてＡ処理部１６０−１を選択する。選択されたＡ処理部１６０−１は、処理要求１７６に含まれるユーザ情報ａ１、ａ２及びａ３を利用して、付加価値Ａに対応する処理（Ａ処理）を行う（ステップ１０６）。
【００６９】
サービススイッチシステム１２０は、Ａ処理部１６０−１による処理結果（Ａ処理結果）と、次の付加価値Ｂに対応する処理を行う付加価値処理部の要求（Ｂ宛先要求）をサービス分析制御システム１１０へ送信する（ステップ１１０）。
【００７０】
Ａ処理結果を受信したサービス分析制御システム１１０は、付加価値Ｂに対応する処理を行わせるための処理要求（Ｂ処理要求）を生成し、サービススイッチシステム１２０へ送信する（ステップ１０８）。このＢ処理要求は、Ｂ処理部１６０−４の識別情報である「Ｂ宛先」、付加価値Ｂに対応するユーザ情報ｂ１及びｂ２が含まれている。
【００７１】
Ｂ処理要求を受信したサービススイッチシステム１２０は、当該Ｂ処理要求に含まれるＢ処理部１６０−４の識別情報に基づいて、Ｂ処理部１６０−４を選択するとともに、当該Ｂ処理部１６０−４に対して、Ａ処理結果を通知する。選択されたＢ処理部１６０−４は、Ｂ処理要求に含まれるユーザ情報ｂ１及びｂ２を利用して、付加価値Ｂに対応する処理（Ｂ処理）を行う（ステップ１０９）。
【００７２】
サービススイッチシステム１２０は、Ｂ処理部１６０−４による処理結果（Ｂ処理結果）と、次の付加価値Ｃに対応する処理を行う付加価値処理部の要求（Ｃ宛先要求）をサービス分析制御システム１１０へ送信する（ステップ１１０）。また、付加価値Ｂが課金制御に関する付加価値である場合には、サービススイッチシステム１２０は、Ｂ処理結果を課金明細システム１８１に送信する（ステップ１１１）。
【００７３】
Ｂ処理結果を受信したサービス分析制御システム１１０は、付加価値Ｃに対応する処理を行わせるための処理要求（Ｃ処理要求）を生成し、サービススイッチシステム１２０へ送信する（ステップ１１２）。このＣ処理要求は、選択したＣ処理部１６０−６の識別情報である「Ｃ宛先」、付加価値Ｃに対応するユーザ情報ｃ１及びｃ２が含まれている。
【００７４】
Ｃ処理要求を受信したサービススイッチシステム１２０は、当該Ｃ処理要求に含まれるＣ処理部１６０−６の識別情報に基づいて、Ｃ処理部１６０−６を選択するとともに、当該Ｃ処理部１６０−６に対して、Ｂ処理結果を通知する。選択されたＣ処理部１６０−６は、Ｃ処理要求に含まれるユーザ情報ｃ１及びｃ２を利用して、付加価値Ｃに対応する処理（Ｃ処理）を行う（ステップ１１３）。
【００７５】
サービススイッチシステム１２０は、Ｃ処理部１６０−６による処理結果（Ｃ処理結果）と、Ｃ処理部１６０−６による処理結果と、処理結果の送信先の要求（接続先要求）をサービス分析制御システム１１０へ送信する（ステップ１１４）。
【００７６】
接続先要求を受信したサービス分析制御システム１１０は、サービス要求に含まれるサービス識別情報に基づいて、処理結果の送信先であるｘＳＰアダプタ１５１を認識し、当該ｘＳＰアダプタ１５１の識別情報を含んだ接続先通知をサービススイッチシステム１２０へ送信する（ステップ１１５）。サービススイッチシステム１２０は、この接続先通知に含まれるアダプタの識別情報により特定されるアダプタに対して、Ａ処理結果、Ｂ処理結果及びＣ処理結果を送信する（ステップ１１６）。
【００７７】
ｘＳＰアダプタ１５１は、ｘＳＰ３０２に対して、これらＡ処理結果、Ｂ処理結果及びＣ処理結果を送信する（ステップ１１７）。
【００７８】
次に、具体的なサービスを例にＩＳＰ１００の動作を説明する。図６は、即時型の情報配信サービスの概要を示す図である。この情報配信サービスは、ｘＳＰから提供される様々なコンテンツ（ここでは広告情報）を端末に対して配信するサービスであり、個人情報の登録、配信情報の登録、情報配信、統計分析の４つの過程からなる。
【００７９】
個人情報の登録の過程では、サービススイッチシステム１２０は、端末３０１に割り当てられた電話番号、ユーザＩＤ、ＩＰアドレス等（以下、これらをまとめて「端末ＩＤ」と称する）に基づいて、必要なユーザデータ及びサービス構成データを取得して、当該端末３０１の認証を行い、更に当該端末３０１から送られる位置情報や嗜好情報等の個人情報の蓄積に対応する処理を行う。
【００８０】
配信情報の登録の過程では、サービススイッチシステム１２０は、ｘＳＰ３０２に割り当てられたＩＤ（例えばｘＳＰ３０２のＩＰアドレス）に基づいて、必要なユーザデータ及びサービス構成データを取得して、当該ｘＳＰ３０２の認証を行い、当該端末３０１から送られる配信対象の情報を蓄積するとともに、配信先の選定（配信条件の決定）に対応する処理を行う
情報配信の過程では、サービススイッチシステム１２０は、端末３０１の端末ＩＤに基づいて、必要なユーザデータ及びサービス構成データを取得して、当該端末３０１の認証を行い、分析制御装置１１４は、選定された配信先へ情報を配信する。
【００８１】
統計分析の過程では、サービススイッチシステム１２０は、ｘＳＰ３０２に割り当てられたＩＤ（例えばｘＳＰ３０２のＩＰアドレス）に基づいて、必要なユーザデータ及びサービス構成データを取得して、当該ｘＳＰ３０２の認証を行い、統計分析に対応する処理を行う。
【００８２】
図７乃至図１０は、即時型の情報配信サービスの動作の一例を示すシーケンス図である。
【００８３】
図７は、情報配信に先立って行われる個人情報の登録のシーケンス図である。端末３０１は、３Ｇネットワーク２０３に対して発呼信号を送信する（ステップ５０１）。３Ｇネットワーク２０３は、発呼信号を送信した端末３０１に対して、ＩＰアドレスを割り当てるとともに（ステップ５０２）、３Ｇアダプタ１５３に対して接続通知を送信する（ステップ５０３）。接続通知を受けた３Ｇアダプタ１５３は、接続応答を３Ｇネットワーク２０３に返す（ステップ５０４）。３Ｇネットワーク２０３は、端末３０１に対して発呼応答を返す（ステップ５０５）。その後、端末３０１と３Ｇアダプタ１５３との間で、ＴＣＰレイヤでの接続が確立される（ステップ５０６）。
【００８４】
ＴＣＰレイヤでの接続が確立された後、端末３０１は、配信サービスの開始要求を含んだＨＴＴＰリクエストを３Ｇアダプタ１５３へ送信する（ステップ５０７）。この配信サービスの開始要求は、端末ＩＤ（例えば端末３０１の電話番号やＩＰアドレス）等を含んで構成される。
【００８５】
ＨＴＴＰリクエストを受信した３Ｇアダプタ１５３は、サービス分析制御システム１１０に対して、当該ＨＴＴＰリクエストに含まれる端末ＩＤを送信する（ステップ５０８）。サービス分析制御システム１１０は、この端末ＩＤをキーとしてデータサーバシステム１３０内のサービス構成データＤＢ１３２及びユーザデータＤＢ１３４を検索し（ステップ５０９）、当該端末ＩＤに対応するサービス構成データ及びユーザデータを取得する（ステップ５１０）。
【００８６】
これらサービス構成データ及びユーザデータを取得したサービス分析制御システム１１０は、サービススイッチシステム１２０に対して、認証要求を送信する（ステップ５１１）。この認証要求には、サービス構成データ及びユーザデータのうち、認証に必要なデータ（例えば端末ＩＤ等）が含まれている。
【００８７】
サービススイッチシステム１２０は、この要求に応じて、付加価値としての認証に対応する処理を行う（ステップ５１２）。具体的には、サービススイッチシステム１２０は、認証要求に含まれるデータに基づいて、端末３０１が個人情報登録サービスを受けることが可能であるか否かを判定する。サービススイッチシステム１２０は、認証が完了した場合には、その旨をサービス分析制御システム１１０に通知する（ステップ５１３）。
【００８８】
認証完了の通知を受けたサービス分析制御システム１１０は、配信サービスに際して必要となる端末３０１のユーザに関する情報（個人情報）を登録するためのフォーム（個人情報登録フォーム）のデータを３Ｇアダプタ１５３へ送信する（ステップ５１４）。３Ｇアダプタ１５３は、この個人情報登録フォームのデータを含んだＨＴＴＰレスポンスを端末３０１へ送信する（ステップ５１５）。
【００８９】
端末３０１は、個人情報登録フォームのデータに基づいて、例えば個人情報の入力画面を表示する。そして、ユーザによって個人情報（例えば配信を受けるコンテンツの種類やキーワード）が入力されると、端末３０１は、当該個人情報を含んだＨＴＴＰリクエストを３Ｇアダプタ１５３へ送信する（ステップ５１６）。
【００９０】
３Ｇアダプタ１５３は、受信したＨＴＴＰリクエスト内の個人情報をサービス分析制御システム１１０へ送信する（ステップ５１７）。個人情報を受信したサービス分析制御システム１１０は、個人情報の蓄積要求をサービススイッチシステム１２０へ送信する（ステップ５１８）。この蓄積要求には、サービス構成データ及びユーザデータのうち、蓄積に必要なデータが含まれている。
【００９１】
サービススイッチシステム１２０は、この要求に応じて、付加価値としての個人情報の蓄積に対応する処理を行い（ステップ５１９）、蓄積が完了した場合には、その旨をサービス分析制御システム１１０に通知する（ステップ５２０）。蓄積された個人情報は、ユーザデータの一部を構成する。
【００９２】
サービス分析制御システム１１０は、蓄積完了の通知を３Ｇアダプタ１５３へ送信する（ステップ５２１）。３Ｇアダプタ１５３は、蓄積完了通知を含んだＨＴＴＰレスポンスを端末３０１へ送信する（ステップ５２２）。その後、端末３０１と３Ｇアダプタ１５３との間で、ＴＣＰレイヤでの接続が解放される（ステップ５２３）。
【００９３】
図８は、情報配信に先立って行われる配信情報の登録のシーケンス図である。まず、ｘＳＰ３０２とｘＳＰアダプタ１５１との間で、ＴＣＰレイヤでの接続が確立される（ステップ６０１）。ＴＣＰレイヤでの接続確立に際しては、具体的には、図６のステップ５０１乃至５０６と同様の処理が行われるが、ここでは省略する。
【００９４】
ＴＣＰレイヤでの接続が確立された後、ｘＳＰ３０２は、配信サービスの開始要求を含んだＨＴＴＰリクエストをｘＳＰアダプタ１５１へ送信する（ステップ６０２）。この配信サービスの開始要求は、ｘＳＰのＩＤ（例えばｘＳＰ３０２のＩＰアドレス）等を含んで構成される。
【００９５】
ＨＴＴＰリクエストを受信したｘＳＰアダプタ１５１は、サービス分析制御システム１１０に対して、当該ＨＴＴＰリクエストに含まれるｘＳＰＩＤを送信する（ステップ６０３）。サービス分析制御システム１１０は、このｘＳＰＩＤをキーとしてデータサーバシステム１３０内のサービス構成データＤＢ１３２及びユーザデータＤＢ１３４を検索し（ステップ６０４）、当該ｘＳＰＩＤに対応するサービス構成データ及びユーザデータを取得する（ステップ６０５）。
【００９６】
これらサービス構成データ及びユーザデータを取得したサービス分析制御システム１１０は、サービススイッチシステム１２０に対して、認証要求を送信する（ステップ６０６）。この認証要求には、サービス構成データ及びユーザデータのうち、認証に必要なデータが含まれている。
【００９７】
サービススイッチシステム１２０は、この要求に応じて、付加価値としての認証に対応する処理を行う（ステップ６０７）。具体的には、サービススイッチシステム１２０は、認証要求に含まれるデータに基づいて、ｘＳＰ３０２が配信情報登録サービスを受けることが可能であるか否かを判定する。サービススイッチシステム１２０は、認証が完了した場合には、その旨をサービス分析制御システム１１０に通知する（ステップ６０８）。
【００９８】
認証完了の通知を受けたサービス分析制御システム１１０は、配信対象の情報（ここでは広告情報）を入力するためのフォーム（広告入力フォーム）のデータをｘＳＰアダプタ１５１へ送信する（ステップ６０９）。ｘＳＰアダプタ１５１は、この広告入力フォームのデータを含んだＨＴＴＰレスポンスをｘＳＰ３０２へ送信する（ステップ６１０）。
【００９９】
ｘＳＰ３０２は、広告入力フォームのデータに基づいて、例えば広告情報の入力画面を表示する。そして、ユーザによって広告情報が入力されると、ｘＳＰ３０２は、当該広告情報を含んだＨＴＴＰリクエストをｘＳＰアダプタ１５１へ送信する（ステップ６１１）。
【０１００】
ｘＳＰアダプタ１５１は、受信したＨＴＴＰリクエスト内の広告情報をサービス分析制御システム１１０へ送信する（ステップ６１２）。広告情報を受信したサービス分析制御システム１１０は、広告情報の蓄積要求をサービススイッチシステム１２０へ送信する（ステップ６１３）。この蓄積要求には、サービス構成データ及びユーザデータのうち、蓄積に必要なデータが含まれている。
【０１０１】
サービススイッチシステム１２０は、この要求に応じて、付加価値としての広告情報の蓄積に対応する処理を行い（ステップ６１４）、蓄積が完了した場合には、その旨をサービス分析制御システム１１０に通知する（ステップ６１５）。
【０１０２】
サービス分析制御システム１１０は、この蓄積完了の通知をｘＳＰアダプタ１５１へ送信する（ステップ６１６）。ｘＳＰアダプタ１５１は、蓄積完了通知を含んだＨＴＴＰレスポンスをｘＳＰ３０２へ送信する（ステップ６１７）。その後、端末３０１とｘＳＰアダプタ１５１との間で、ＴＣＰレイヤでの接続が解放される（ステップ６１８）。
【０１０３】
また、サービス分析制御システム１１０は、広告情報の配信先の選定要求をサービススイッチシステム１２０へ送信する（ステップ６１９）。この選定要求には、サービス構成データ及びユーザデータのうち、配信先の選定に必要なデータが含まれている。
【０１０４】
サービススイッチシステム１２０は、この要求に応じて、付加価値としての配信先の選定（アクセス制御）に対応する処理を行い（ステップ６２０）、蓄積が完了した場合には、選定した配信先の情報をサービス分析制御システム１１０に通知する（ステップ６２１）。この配信先の情報には、配信先の端末の端末ＩＤが含まれる。
【０１０５】
図９は、情報配信のシーケンス図である。選定された配信先の情報を受信したサービス分析制御システム１１０は、配信先が３Ｇネットワーク２０３に接続される端末３０１である場合、３Ｇアダプタ１５３に対して配信指示を送信する（ステップ７０１）。この配信指示には、配信先の端末の端末ＩＤが含まれる。
【０１０６】
配信指示を受信した３Ｇアダプタ１５３は、当該配信指示内の端末ＩＤを含んだ着信通知を３Ｇネットワーク２０３へ送信する（ステップ７０２）。３Ｇネットワーク２０３は、この着信通知内の端末ＩＤにより特定される端末３０１に対して、着呼信号を送信する（ステップ７０３）。
【０１０７】
着呼信号を受信した端末３０２は、着信応答を３Ｇネットワーク２０３に返す（ステップ３０４）。３Ｇネットワーク２０３は、着信応答を受信した旨の応答である応答確認を端末３０１に返す。その後、端末３０１と３Ｇネットワーク２０３との間で、ＴＣＰレイヤでの接続が確立される（ステップ７０６）。
【０１０８】
ＴＣＰレイヤでの接続が確立された後、３Ｇネットワーク２０３は、配信情報が存在する旨の通知である着信通知を端末３０１へ送信する（ステップ７０７）。着信通知を受信した端末３０１は、着信応答を３Ｇネットワーク２０３へ返す（ステップ７０８）。その後、端末３０１と３Ｇネットワーク２０３との間で、ＴＣＰレイヤでの接続が解放される（ステップ７０９）。
【０１０９】
次に、３Ｇネットワーク２０３は、端末３０１から着信応答が返ってきた旨の通知である着信通知応答を３Ｇアダプタに送信する（ステップ７１０）。その後、端末３０１と３Ｇアダプタ１５３との間で、ＴＣＰレイヤでの接続が確立される（ステップ７１１）。ＴＣＰレイヤでの接続確立に際しては、具体的には、図６のステップ５０１乃至５０６と同様の処理が行われるが、ここでは省略する。
【０１１０】
ステップ７０８において着信応答を送信した端末３０１は、ユーザの操作指示に応じて、情報配信の要求を含んだＨＴＴＰリクエストを３Ｇアダプタ１５３へ送信する（ステップ７１２）。この情報配信の要求は、端末ＩＤ等を含んで構成される。
【０１１１】
ＨＴＴＰリクエストを受信した３Ｇアダプタ１５３は、サービス分析制御システム１１０に対して、当該ＨＴＴＰリクエストに含まれる端末ＩＤを送信する（ステップ７１３）。サービス分析制御システム１１０は、この端末ＩＤをキーとしてデータサーバシステム１３０内のサービス構成データＤＢ１３２及びユーザデータＤＢ１３４を検索し（ステップ７１４）、当該端末ＩＤに対応するサービス構成データ及びユーザデータを取得する（ステップ７１５）。
【０１１２】
これらサービス構成データ及びユーザデータを取得したサービス分析制御システム１１０は、サービススイッチシステム１２０に対して、認証要求を送信する（ステップ７１６）。この認証要求には、サービス構成データ及びユーザデータのうち、認証に必要なデータ（例えば端末ＩＤ等）が含まれている。
【０１１３】
サービススイッチシステム１２０は、この要求に応じて、付加価値としての認証に対応する処理を行う（ステップ７１７）。具体的には、サービススイッチシステム１２０は、認証要求に含まれるデータに基づいて、端末３０１が情報配信サービスを受けることが可能であるか否かを判定する。サービススイッチシステム１２０は、認証が完了した場合には、その旨をサービス分析制御システム１１０に通知する（ステップ７１８）。
【０１１４】
認証完了の通知を受けたサービス分析制御システム１１０は、配信データを３Ｇアダプタ１５３へ送信する（ステップ７１９）。３Ｇアダプタ１５３は、この配信データを含んだＨＴＴＰレスポンスを端末３０１へ送信する（ステップ７２０）。その後、端末３０１と３Ｇアダプタ１５３との間で、ＴＣＰレイヤでの接続が解放される（ステップ７２１）。
【０１１５】
図１０は、情報配信後に行われる統計分析のシーケンス図である。まず、ｘＳＰ３０２とｘＳＰアダプタ１５１との間で、ＴＣＰレイヤでの接続が確立される（ステップ８０１）。ＴＣＰレイヤでの接続確立に際しては、具体的には、図６のステップ５０１乃至５０６と同様の処理が行われるが、ここでは省略する。
【０１１６】
ＴＣＰレイヤでの接続が確立された後、ｘＳＰ３０２は、統計分析サービスの要求を含んだＨＴＴＰリクエストをｘＳＰアダプタ１５１へ送信する（ステップ８０２）。この統計分析サービスの要求は、ｘＳＰのＩＤ等を含んで構成される。
【０１１７】
ＨＴＴＰリクエストを受信したｘＳＰアダプタ１５１は、サービス分析制御システム１１０に対して、当該ＨＴＴＰリクエストに含まれるｘＳＰＩＤを送信する（ステップ８０３）。サービス分析制御システム１１０は、このｘＳＰＩＤをキーとしてデータサーバシステム１３０内のサービス構成データＤＢ１３２及びユーザデータＤＢ１３４を検索し（ステップ８０４）、当該ｘＳＰＩＤに対応するサービス構成データ及びユーザデータを取得する（ステップ８０５）。
【０１１８】
これらサービス構成データ及びユーザデータを取得したサービス分析制御システム１１０は、サービススイッチシステム１２０に対して、認証要求を送信する（ステップ８０６）。この認証要求には、サービス構成データ及びユーザデータのうち、認証に必要なデータが含まれている。
【０１１９】
サービススイッチシステム１２０は、この要求に応じて、付加価値としての認証に対応する処理を行う（ステップ８０７）。具体的には、サービススイッチシステム１２０は、認証要求に含まれるデータに基づいて、ｘＳＰ３０２が統計分析サービスを受けることが可能であるか否かを判定する。サービススイッチシステム１２０は、認証が完了した場合には、その旨をサービス分析制御システム１１０に通知する（ステップ８０８）。
【０１２０】
認証完了の通知を受けたサービス分析制御システム１１０は、統計分析の条件を入力するためのフォーム（統計分析条件入力フォーム）のデータをｘＳＰアダプタ１５１へ送信する（ステップ８０９）。ｘＳＰアダプタ１５１は、この統計分析条件入力フォームのデータを含んだＨＴＴＰレスポンスをｘＳＰ３０２へ送信する（ステップ８１０）。
【０１２１】
ｘＳＰ３０２は、統計分析条件入力フォームのデータに基づいて、例えば統計分析条件の入力画面を表示する。そして、ユーザによって統計分析条件が入力されると、ｘＳＰ３０２は、当該統計分析条件を含んだＨＴＴＰリクエストをｘＳＰアダプタ１５１へ送信する（ステップ８１１）。
【０１２２】
ｘＳＰアダプタ１５１は、受信したＨＴＴＰリクエスト内の統計分析条件をサービス分析制御システム１１０へ送信する（ステップ８１２）。統計分析条件を受信したサービス分析制御システム１１０は、統計分析の要求をサービススイッチシステム１２０へ送信する（ステップ８１３）。この統計分析要求には、サービス構成データ及びユーザデータのうち、統計分析に必要なデータが含まれている。
【０１２３】
サービススイッチシステム１２０は、この要求に応じて、付加価値としての統計分析（例えば配信結果の導出等）に対応する処理を行い（ステップ８１４）、統計分析が完了した場合には、その結果をサービス分析制御システム１１０に通知する（ステップ８１５）。
【０１２４】
サービス分析制御システム１１０は、この統計分析結果をｘＳＰアダプタ１５１へ送信する（ステップ８１６）。ｘＳＰアダプタ１５１は、統計分析結果を含んだＨＴＴＰレスポンスをｘＳＰ３０２へ送信する（ステップ８１７）。その後、端末３０１とｘＳＰアダプタ１５１との間で、ＴＣＰレイヤでの接続が解放される（ステップ８１８）。
【０１２５】
このように本実施形態の通信システム１では、Ｉ−ＮＳＰ１００のサービススイッチシステム１２０内にネットワーク間の通信サービスを実現する付加価値毎に、当該付加価値に対応する処理を行う付加価値処理部１６０を備え、これら付加価値処理部１６０を組み合わせて通信サービスを提供しており、ネットワーク間通信に対して、容易に付加価値を盛り込むことが可能となる。
【０１２６】
上記実施形態において、データサーバシステム１３０が情報取得手段に対応し、各付加価値処理部１６０が付加価値処理手段に対応し、サービス制御システム１１０が通信サービス提供手段に対応する。
【発明の効果】
上述の如く、本願発明によれば、ネットワーク間の通信サービスを実現する付加価値を設定し、その付加価値を組み合わせて通信サービスを提供することにより、ネットワーク間通信に対して、容易に付加価値を盛り込むことが可能となる。
【０１２７】
具体的には、付加価値を組み合わせて通信サービスを提供することにより、１の付加価値を複数の通信サービスの提供の際に用いることができるため、通信サービスの追加、変更が生じた場合には、その追加、変更となる通信サービスの際に用いられる付加価値の全てを新たに設定する必要がなく、通信サービスの追加、変更を迅速且つ低コストで行うことが可能になる。
【０１２８】
また、付加価値処理手段が１の付加価値に対して複数備えられることにより、負荷分散を図ることが可能となる。
【図面の簡単な説明】
【図１】通信システムの概念図である。
【図２】属性と付加価値との対応関係を示す図である。
【図３】通信システムの構成例を示す図である。
【図４】Ｉ−ＮＳＰの処理を示す概念図である。
【図５】Ｉ−ＮＳＰの処理を示すシーケンス図である
【図６】情報配信サービスの概要を示す図である。
【図７】個人情報の登録のシーケンス図である。
【図８】配信情報の登録のシーケンス図である。
【図９】情報配信のシーケンス図である。
【図１０】統計分析のシーケンス図である。
【符号の説明】
１  通信システム
１０、５０  ｘＳＰサービス共通基盤
２０、１１０  サービス分析制御システム
３０、１３０  データサーバシステム
６０  情報流通基盤
７０  高付加価値基盤
８０  ｘＳＰ
８２  ユーザ端末
８４  モバイルＩＰネットワーク
８６  物体空間
１００  Ｉ−ＮＳＰ
１１２  サービススイッチ付加制御装置
１１４  分析制御装置
１１６  退避用メモリ
１２０  サービススイッチシステム
１２１−１、１２１−２、１２１−３、１２１−４、１２１−５  スイッチ群
１２２  低レベルスイッチ
１２３  高レベルスイッチ
１３１  サービス構成データシステム
１３２  サービス構成データＤＢ
１３３  ユーザデータシステム
１３４  ユーザデータＤＢ
１３５  ログデータシステム
１３６  ログＤＢ
１３７  データ分析システム
１３８  多次元データＤＢ
１５０  ネットワークアダプタ
１５１  ｘＳＰアダプタ
１５２  企業ＬＡＮアダプタ
１５３  ３Ｇアダプタ
１５４  Ｗ−ＬＡＮアダプタ
１５５  ４Ｇアダプタ
１５６  インターネットアダプタ
１６０  付加価値処理部
２０１  ｘＳＰネットワーク
２０２  企業ＬＡＮ
２０３  ３Ｇネットワーク
２０４  Ｗ−ＬＡＮ
２０５  ４Ｇネットワーク
２０６  インターネット
【図１】
0003699059.tif 000002
【図２】
0003699059.tif 000003
【図３】
0003699059.tif 000004
【図４】
0003699059.tif 000005
【図５】
0003699059.tif 000006
【図６】
0003699059.tif 000007
【図７】
0003699059.tif 000008
【図８】
0003699059.tif 000009
【図９】
0003699059.tif 000010
【図１０】
0003699059.tif 000011